(57)【要約】  【課題】  本発明の目的は、雨水等の貯水施設の貯水槽の下部に、沈殿物がより堆積し難い雨水等の貯水施設を提供することにある。  【解決手段】  本発明の雨水等の貯水施設は、地中に形成され、かつ雨水等の流入口１０と流出口１３とを有する貯水槽３と、貯水槽３内に配設されて貯水空間５を確保する複数の樹脂製骨格ブロック４と、流入口１０付近の樹脂製骨格ブロック４を仕切壁１１で囲むことにより貯水槽３内に形成された導水槽１２とを備えた雨水等の貯水施設において、貯水槽３の下に、導水槽１２と流出口１３とを繋ぎ、その上面が貯水槽３の底面に開口した溝状流路２０が設けられ、かつ溝状流路２０の両側には穴明き仕切板２１が立設されていることを特徴としている。  【選択図】  図４
2008008060.tif 000002
【特許請求の範囲】
【請求項１】
地中に形成され、かつ雨水等の流入口と流出口とを有する貯水槽と、該貯水槽内に配設されて貯水空間を確保する複数の樹脂製骨格ブロックと、前記貯水槽内の前記流入口付近に形成された導水槽とを備えた雨水等の貯水施設において、前記貯水槽の下に、前記導水槽と前記流出口とをつなぎ、その上面が前記貯水槽の底面に開口した溝状流路が設けられ、かつ該溝状流路の両側には穴明き仕切板が立設されていることを特徴とする雨水等の貯水施設。
【請求項２】
前記導水槽が前記樹脂製骨格ブロックを仕切壁で囲むことにより形成され、さらに前記導水槽と前記流出口とをつなぐ前記溝状流路の一端が導水槽の底部で導水槽につながっていて、かつ他端は流出口に連結されており、かつこの溝状流路の断面形状がＵ字状溝またはコの字状溝あるいはＵ字状溝またはコの字状溝を幅方向に複数並行して並べた断面形状であることを特徴とする請求項１記載の雨水等の貯水施設。
【請求項３】
前記貯水槽には前記流入口が複数設けられていて、この複数の流入口付近にそれぞれ形成された導水槽と前記流出口とが前記溝状流路でつながれていることを特徴とする請求項１または請求項２いずれかに記載の雨水等の貯水施設。
【請求項４】
前記貯水槽には、前記流入口付近に形成された前記導水槽と、前記流出口とが同数設けられていて、各々が対になるように溝状流路が複数設けられていることを特徴とする請求項１乃至請求項３いずれかに記載の雨水等の貯水施設。
【請求項５】
前記溝状流路は前記流入口から前記流出口に向かって雨水等が流れるように傾斜がつけられていることを特徴とする請求項１乃至請求項４いずれかに記載の雨水等の貯水施設。
【請求項６】
前記導水槽の底部の溝状流路には、この導水槽側から前記流出口側に向かってジェット水流を噴射するジェット水流噴射装置が設けられていることを特徴とする請求項１乃至請求項５いずれかに記載の雨水等の貯水施設。
【請求項７】
前記溝状流路において、この溝状流路に向けてジェット水流を噴射し、溝状流路内に沈殿した沈殿物を流出口から排出することを特徴とする雨水等の貯水施設の沈殿物除去方法。
【発明の詳細な説明】
【技術分野】
【０００１】
本発明は、ビルあるいは集合住宅、特に団地等において、雨水等を一次的に地中の貯水槽に貯え、特に豪雨の際、河川の急激な増水を防止する雨水等の貯水施設及び、この施設における沈殿物の除去方法に関するものである。
【背景技術】
【０００２】
従来から、例えば、病院、学校、その他の大きなビルや団地等において、豪雨の際、雨水等を一次的に貯水し、河川への急激な流れ込みを抑え、河川の急激な増水を防ぐ等の防災対策の一環として、ビルや団地周辺の空き地、あるいは自転車置き場等の地下に貯水槽を設け、これに雨水等を一時的に貯水する試みが種々行われている。
【０００３】
この種の典型的な例として特許文献１に記載の貯水施設がある。
これは、予め地面を掘り下げて、例えば平面形状が長方形の貯水槽を形成し、しかる後この貯水槽の内表面（側面及び底面を含む）に砂利等で内張層を形成する。内張層を形成したら貯水槽内に、例えば、箱型の樹脂製骨格ブロックを上下縦横に組み上げて、その内部に貯水空間を形成する。貯水空間ができ上がったら、最後にこの貯水槽上に、例えば樹脂製の天板を敷き詰め、該天板上に遮水性シートもしくは半透水性シートを被せたり、あるいはさらにこの遮水性シートもしくは半透水性シート上にさらに土を埋め戻したりして、雨水等の貯水施設を形成するものである。
【０００４】
しかしながら、この特許文献１に記載されている雨水等の貯水施設においては、貯水槽に流入する雨水が、例えば集合住宅等ビルの屋上に溜まったものだけであればそれほど問題はないが、地面に降った雨水も含めて、ビルの側溝等地表に設けられた排水溝を伝って流入してくるような場合には、雨水の中に大きな石や砂利、あるいは土の塊といったかなり大きなものが混じって流れ込んでくる恐れがある。
このように石や砂利等が貯水槽に流れ込んでくると貯水槽の底にこれらが拡散し、堆積し、次第に貯水槽内の貯水可能な容積が減少してしまう、という問題がある。
【０００５】
そこで、雨水等に石や砂利等が混入する可能性が大きい場合には、貯水槽への雨水等の流入口に到る流路の途中に沈殿槽を設け、この沈殿槽で石や砂利等大き目のものを沈殿させ、この沈殿槽をオーバーフローさせたものを貯水槽の流入口へと導いていた。
しかしながらこの方法の場合、前記沈殿槽として大きなものを設ければ、石や砂利あるいはさらに細かいものもこの沈殿槽に沈殿させ、除去できるが、実際には大きな沈殿槽を設けるだけの設置場所の確保が難しい。
加えて大きな沈殿槽を設けるには大きな穴を地面に掘らねばならず、しかもその周囲や底にはコンクリートで壁を形成する必要もあり、設置費用が極めて高価なものになってしまう、という問題もあった。
そのため、大型の沈殿槽の代わりに、小型の沈殿槽（貯め枡）を貯水槽の流入口の前の導水路に設けることもあるが、小型の沈殿槽では大きな石や砂利は除去できても、小さな砂利や砂は十分に除去できない問題があった。
【０００６】
そこで特許文献２に開示されているように、流入口付近の樹脂製骨格ブロックの一部を、多数の貫通孔を有する仕切壁で囲んで、貯水槽内に沈殿槽を形成したものも提案されている。
このように貯水槽内に沈殿槽を形成すれば、別途貯水槽の外部に形成する沈殿槽の負荷を少なくすることができるし、貯水槽内に流入する土砂等を集中的に沈殿槽に集めることができるため、貯水槽の貯水空間に土砂等が堆積するのを防止することができる。
【０００７】
【特許文献１】特開昭６３−２６８８２３号公報
【特許文献２】特開２００５−１２０６５８号公報
【発明の開示】
【発明が解決しようとする課題】
【０００８】
しかし、前述した特許文献２に記載されているように、貯水槽内に、樹脂製骨格ブロックの一部を仕切壁で囲んで沈殿槽を形成した場合には、かなりの土砂は沈殿槽の底に沈殿するため、これをポンプ等で除去しなければならない。
さらに、その頻度は少なくなったものの、現状でも、貯水槽内の樹脂製骨格ブロックで形成された空間に作業者が入って、ジェット噴流装置等を用いて貯水槽の下面に堆積した沈殿物を除去しなければならない場合もある。
【０００９】
前述した問題に鑑み本発明の目的は、雨水等の貯水施設の貯水槽の下部に、沈殿物がより堆積し難い雨水等の貯水施設を提供することにある。
【課題を解決するための手段】
【００１０】
前記目的を達成すべく本発明の請求項１記載の雨水等の貯水施設は、地中に形成され、かつ雨水等の流入口と流出口とを有する貯水槽と、該貯水槽内に配設されて貯水空間を確保する複数の樹脂製骨格ブロックと、前記貯水槽内の前記流入口付近に形成された導水槽とを備えた雨水等の貯水施設において、前記貯水槽の下に、前記導水槽と前記流出口とをつなぎ、その上面が前記貯水槽の底面に開口した溝状流路が設けられ、かつ該溝状流路の両側には穴明き仕切板が立設されていることを特徴とするものである。
【００１１】
このように、貯水槽への流入口付近に導水槽を設け、かつ導水槽と流出口とをつなぐ溝状流路が設けられているので、沈殿物は導水槽の底にほとんど溜まることなく、この溝状流路を通って流出口から貯水槽外部へと排出される。また溝状流路を設けたことにより、この貯水槽内に流れ込んだ雨水等は、貯水槽内に比較的流れの速い、かつ一定方向の流れ生じさせることから、この流れに乗って、貯水槽内に流れ込んだ雨水等は流出口に向かって流される。その結果、雨水等に含まれている比較的細かい土砂もこの流れに乗って流出口へと運ばれ易くなり、貯水槽内に残留して堆積し難くなる。
要約すると、請求項１記載の雨水等の貯水施設によれば、貯水槽内に沈殿槽ではなく、導水槽を設け、かつこの導水槽の下部と流出口を溝状流路でつなぎ、流路に沿った水流を利用することで、貯め枡等で除去しきれない石や砂利等を、直接溝状流路を通じて流出口に流すことができる。
【００１２】
また請求項２記載の雨水等の貯水施設は、請求項１記載の雨水等の貯水施設において、前記導水槽が前記樹脂製骨格ブロックを仕切壁で囲むことにより形成され、さらに前記導水槽と前記流出口とをつなぐ前記溝状流路の一端が導水槽の底部で導水槽につながっていて、かつ他端は流出口に連結されており、かつこの溝状流路の断面形状がＵ字状溝またはコの字状溝あるいはＵ字状溝またはコの字状溝を幅方向に複数並行して並べた断面形状であることを特徴とするものである。
このように、流入口付近の樹脂製骨格ブロックを仕切壁で囲むことにより貯水槽内に導水槽が形成されているので、導水槽に直接雨水等を導くことができる。そのため、導水槽から貯水槽内の導水槽以外の部分への土砂等の流入、拡散を効果的に阻止することができる。
【００１３】
また請求項３記載の雨水等の貯水施設は、請求項１または請求項２いずれかに記載の雨水等の貯水施設において、前記貯水槽には前記流入口が複数設けられていて、この複数の流入口付近にそれぞれ形成された導水槽と前記流出口とが前記溝状流路でつながれていることを特徴としている。
このようにしてなる請求項３記載の雨水等の貯水施設によれば、例えば、貯水槽の設置場所の環境条件から、流出口が１つに対して、貯水槽に雨水等が流入する流入口が複数形成された場合にも、この複数の流入口付近にそれぞれ形成された導水槽と前記流出口とが溝状流路でつながれているため、それぞれの導水槽から流出口に向かって比較的流速の速い流れができ易い。そのため、この流れに乗って、貯水槽内に流れ込んだ雨水等は流出口に向かって流される。その結果、雨水等に含まれている比較的細かい土砂もこの流れに乗って流出口へと運ばれ易くなり、貯水槽内に堆積し難くなる。
【００１４】
さらにまた請求項４記載の雨水等の貯水施設は、請求項１乃至請求項３いずれかに記載の雨水等の貯水施設において、前記貯水槽には、前記流入口付近に形成された前記導水槽と、前記流出口とが同数設けられていて、各々が対になるように溝状流路が複数設けられていることを特徴とする。
このように流入口と流出口とが複数、しかも同数ある場合、例えば、各々対向するもの同士の導水槽と流出口とを溝状流路でつなげば、溝状流路内の流れはより滞留することなくスムースに流れ、土砂等を効率よく貯水槽外部へと排出することができる。
【００１５】
また請求項５記載の雨水等の貯水施設は、請求項１乃至請求項４いずれかに記載の雨水等の貯水施設において、前記溝状流路は前記流入口から前記流出口に向かって雨水等が流れるように傾斜がつけられていることを特徴としている。
このようにしてなる請求項５記載の雨水等の貯水施設によれば、溝状流路の底は、雨水等の入り口（流入口）側から出口（流出口）側に向かって、出口側が低くなるように傾斜が付けられているので、雨水等の流れがスムースになって、土砂はより堆積し難くなる。
【００１６】
また請求項６記載の雨水等の貯水施設は、請求項１乃至請求項５いずれかに記載の雨水等の貯水施設において、前記導水槽の底部の溝状流路には、この導水槽側から前記流出口側に向かってジェット水流を噴射するジェット水流噴射装置が設けられていることを特徴とする。
このように導水槽の底部にジェット水流噴射装置を設けておけば、仮に導水槽下部あるいは溝状流路内に沈殿物が堆積することがあっても、ジェット水流を用いて容易に沈殿物を流出口側に排出でき好ましい。
【００１７】
加えて、請求項７記載の雨水等の貯水施設の沈殿物除去方法は、前記溝状流路において、この溝状流路に向けてジェット水流を噴射し、溝状流路内に沈殿した沈殿物を流出口から排出することを特徴とするものである。
このようにしてなる請求項７記載の雨水等の貯水施設の沈殿物除去方法によれば、導水槽の底に溝状流路を設けたことにより、仮に沈殿物が堆積するとしても貯水槽下面全体ではなく、より溝状流路の底に堆積し易くなる。それ故、例えば、導水槽側から溝状流路内の沈殿物に向けてジェット水流を噴射すれば、より効果的に溝状流路内の沈殿物を流出口側に押し流すことができ好ましい。
【発明の効果】
【００１８】
以上のように本発明の雨水等の貯水施設によれば、雨水等の貯水施設の貯水槽の下部に、沈殿物がより堆積し難い雨水等の貯水施設を提供することができる。また本発明の雨水等の貯水施設の沈殿物除去方法によれば、より効果的に貯水槽内の沈殿物を外部に排出することができる。
【発明を実施するための最良の形態】
【００１９】
以下に図を用いて、本発明の雨水等の貯水施設の一実施例を詳細に説明する。
【００２０】
図１は本発明の雨水等の貯水施設の一実施例を示す一部切開正面図である。
図１に示すように、地面１の地下を所定深さ掘り下げて形成した、例えば長方形あるいは正方形の凹所の内表面に砂利等からなる内張層２、または周辺の土砂が流れ込まないように、必要により遮水性シートもしくは半透水性シートを内張りすることにより形成した内張層２を設けて、貯水槽３を形成する。
【００２１】
さて内張層２を形成したら、この貯水槽３内に、図２に示すような樹脂製骨格ブロック４を上下縦横に組み上げて、貯水槽３内部に図１に示すような貯水空間５を形成する。
図２に示す樹脂製骨格ブロック４を積み上げる場合は、例えば、図１に示すように一段毎に樹脂製骨格ブロック４の上下を逆さまにして、組み上げていく。
ところで、図２に示すように樹脂製骨格ブロック４の円筒部分７の先端には嵌合突起４１と嵌合穴４２とが設けられており、この樹脂製骨格ブロック４上に別の樹脂製骨格ブロック４を逆さにして積み上げ、組み付ける。この場合、一方の樹脂製骨格ブロック４の嵌合突起４１を他方の樹脂製骨格ブロック４の嵌合穴４２に嵌め、一方の樹脂製骨格ブロック４の嵌合穴４２に他方に樹脂製骨格ブロック４の嵌合突起４１を嵌め込めばよい。
【００２２】
一方、樹脂製骨格ブロック４の略正方形状の平板部分８には透過孔が多数設けられているので、この平板部分８同士で隣接する樹脂製骨格ブロック４同士を接続する場合には、前記透過孔に適切な把持具を用いる等して接続すればよい。あるいは、平板部分８の端部に適当な嵌合突起８ａと嵌合凹部８ｂを設けておいて、隣接する樹脂製骨格ブロック４同士の一方の嵌合突起８ａを他方の嵌合凹部８ｂに嵌めることにより樹脂製骨格ブロック４同士を連結していくこともできる。
尚、樹脂製骨格ブロック４の形状はこれ以外にも種々提案されており、本発明においても、図２に示す樹脂製骨格ブロック４に限らず種々の樹脂製骨格ブロック４を利用できることはいうまでもない。
【００２３】
順次樹脂製骨格ブロック４を組み付けて貯水槽３内に貯水空間５を形成していき、図１に示すように貯水槽３への流入口１０に近づいたら、例えば、１個分相当の樹脂製骨格ブロック４については、図３に拡大して示すように、隣接する３方向の樹脂製骨格ブロック４との間に多数の貫通孔（図３においては省略されている）を有する、例えば、樹脂製の仕切壁１１を挟み込んで順次垂直方向に繋ぎ込みながら立設させていく。
具体的には、図３において、嵌合突起１１ａは仕切壁１１の端部に設けた突起で、これを樹脂製骨格ブロック４側の嵌合凹部４ａに嵌め込んで、仕切壁１１を垂直方向に立設していった。
【００２４】
このようにして順次樹脂製骨格ブロック４により仕切壁１１を支持しながら、図４に示すように、流入口１０に最も近い樹脂製骨格ブロック４、一個分をその３方向から囲い込むように仕切壁１１、１１、１１で囲い込んで、流入口１０の貯水槽３への入り口に導水槽１２を設けた。
ここで、導水槽１２は、流入口１０付近の樹脂製骨格ブロック４を仕切壁１１、１１、１１で囲むことにより貯水槽３内に形成されているので、導水槽１２に雨水等を導くと同時に、導水槽１２から導水槽１２を除いた貯水槽３への土砂等の流入を効果的に防止することができる。
また、導水槽１２は仕切壁１１で囲まれていればよく、特に、前述したように仕切壁１１を樹脂製骨格ブロック４で支持しながら立設させた構造である必要はない。例えば、仕切壁１１同士を、適当な位置に設けた嵌合突起や嵌合穴で互いを嵌め込みながら形成する構造であってもよい。
尚、仕切壁１１、１１、１１を形成している樹脂製の板には、導水槽１２と貯水槽３側とを繋ぐ半径約１０ｍｍ程度の図示しない貫通孔が複数穿たれていてもよく、このようにすれば導水槽１２側の水位と、貯水槽３側の水位が常時ほぼ同じ高さになるように保持できる。また、この仕切壁１１は貯水槽２の底面またはほぼ底面の位置から垂直方向に立ち上がっている。
【００２５】
ところで、図４は貯水槽３を上から見た平面図で、後述する溝状流路の配置が判り易くなるように、貯水槽３内の樹脂製骨格ブロック４はすべて省略してある。尚、この仕切壁１１の下端は貯水槽２の底面に接している。
【００２６】
図１及び図４で、符号２０は貯水槽３の下面（底面）にその上面が開口した溝状流路を示している。この溝状流路２０は、一端が導水槽１２の底部で導水槽１２につながっていて、かつ他端は流出口１３に連結されている。因みに、通常、流出口１３の内径は、流入口１０の内径の約１／３程度に設定されている。
この溝状流路２０の断面形状は、一般的にはＵ字状溝、またはコの字状溝であるが、これらの断面形状に限らず、例えば、Ｕ字状溝またはコの字状溝を幅方向に複数並行して並べたもの等種々の形状のものであってもよい。
また溝状流路２０は、例えば、コンクリートで形成してもよいし、樹脂製の部材で形成することもできる。
【００２７】
図４に示す符号２１は、本発明の大きな特徴の１つである穴明き仕切板である。この穴明き仕切板２１は溝状流路２０の開口部両側に、貯水槽３の底面位置から垂直方向に立設されている。その高さは少なくとも樹脂製骨格ブロック４、一個分の高さ、より好ましくは偶数個分の高さにするとよい。このようにすると、隣接する樹脂製骨格ブロック４の平板部分８の端部同士で穴明き仕切板２１の端部を挟み込むことができ、穴明き仕切板２１を強度的に安定して立設できるからである。
因みに、この実施例では図５に示すように、樹脂製骨格ブロック４の４個分に相当する高さまで穴明き仕切板２１を立設させた。
【００２８】
このように溝状流路２０の両側に穴明き仕切板２１を立設すると、溝状流路２０を流れる泥等を含む雨水等が、溝状流路２０から溢れたり、飛散したりするのを穴明き仕切板２１が楯になって防いでくれる。
その結果、貯水槽３の底面全体に泥水が拡散し難くなり、それに伴って貯水槽３の底面全体に沈殿物が堆積し難くなって、従来よりも長期間貯水槽３内の沈殿物除去作業を行わなくても済むようになる。
仮に、この穴明き仕切板２１を越えて貯水槽３側に雨水等が溢れることになっても、穴明き仕切板２１の高さを越えて溢れるまでの間に、雨水等に含まれる土砂はより溝状流路２０内に沈殿する。そのため、従来よりも貯水槽３の底面全体に沈殿物が堆積し難くなり、好ましい。
尚、図５は貯水槽３を流入口１０側から流出口１３側に向かって見た一部切開側面図である。
【００２９】
ところでこの実施例で使用した穴明き仕切板２１は、図２に示す樹脂製骨格ブロック４の平板部分８とほぼ同様の寸法の略正方形状をしていて、図３に示した仕切壁１１と隣接する樹脂製骨格ブロック４の関係と同様に、樹脂製骨格ブロック４の略正方形の平板部分８の一辺に設けた嵌合凹起に、自身の正方形状の一辺部に設けた嵌合突起を嵌め込む等して、垂直方向に立設させてある。
この穴明き仕切板２１は、例えば、樹脂製であってもよいし、コンクリート製等であってもよいが、前者の方が小径の穴を形成し易く、また軽量で組立作業がやり易いことから好ましい。また、その形状が樹脂製骨格ブロック４の平板部分８に一致している必要はないが、両者がほぼ同じ形状、同じ寸法であると、図３に示す樹脂製骨格ブロック４と仕切壁１１のように、両者の組立作業性が向上し、好ましい。また、この穴明き仕切板２１に表裏に貫通して設けられている穴は、内径１０ｍｍ前後の穴で、穴明き仕切板２１全体に亘って平均的に多数形成されている。尚、穴明き仕切板２１の穴は、幅が１０ｍｍ前後のものであれば、必ずしも円形である必要はなく、例えば、楕円形状や長穴形状であってもよいし、幅が狭いスリット形状であってもよい。穴明き仕切板２１としてはこれら種々の穴形状のものを含むものとする。この穴（スリット形状も含む）を介して溝状流路２０側と貯水槽３側間の雨水の出入りができるようになっている。
【００３０】
尚、図１において、符号１４は必要により設けた小型の泥溜槽で、貯水槽３に流れ込む雨水等は、まずここで滞留する。その際、石や砂利等の比較的大きな粒子のものはこの泥溜槽１４の底に沈殿する。それ故、もしこの泥溜槽１４に至る流路が、単に集合住宅の屋上からの雨水のみ集めて運んでくるものであれば、その中に石や砂利が混入する可能性は小さいので、あえてこの泥溜槽１４を設ける必要はない。
しかし、通常の貯水槽の場合は、雨水等と同時に土砂の流入が考えられるものが多いことから、泥溜槽１４を設けることの方が多い。
【００３１】
また符号１５は、貯水槽３の出口側に設けられた調整槽である。この調整槽１５の底には溝状流路２０から流れ込んだ雨水等から、さらに小さな粒子の泥等が沈殿する場合がある。そのような場合には、定期的にこの調整槽１５の底の沈殿物を汲み上げればよい。汲み上げ作業を容易にするために、調整槽１５内に、ポンプ装置を設けておいて、泥水をポンプで汲み上げるようにしてもよい。
【００３２】
さらにまた図１における符号１６は、泥溜槽１４と調整槽１５の上に設けた蓋を示している。適時この蓋１６を開けることで泥溜槽１４及び調整槽１５の内部の様子を観察することができる。
また符号１８は貯水槽３の上部を覆う被覆層を示しており、この被覆層１８は従来と同様に、例えば貯水槽３上に、より具体的には樹脂製骨格ブロック４で構成した貯水空間５上に敷き詰めた樹脂製の天板であったり、または遮水性シートもしくは半透水性シート及びこれらシート上に埋め戻した土等から形成されることもある。
【００３３】
また、本発明の雨水等の貯水施設は、沈殿槽をなくして、導水槽１２の下部に溝状流路２０を設け、かつ導水槽１２と流出口１３とをこの溝状流路２０でつなぐことにより、溝状流路２０内に水流を形成して、溝状流路２０への土砂等の堆積を防止するものであり、溝状流路２０内にはほとんど土砂等は堆積しない。しかしながら、溝状流路２０内の水流の状態によっては、導水槽１２の直下の溝状流路２０内に極くわずかではあるが土砂等が堆積することも考えられる。
このような極くわずかな土砂等を貯水槽３から外部に排出するために、図１の符号３０に示すようなジェット水流噴射装置を設ける場合がある。図１の例では、ジェット水流噴射装置３０は、溝状流路２０の底面に向かってジェット水流を噴射できるもので、定期的に自動的にジェット水流を噴射して、溝状流路２０の底に沈殿している泥等を流出口１３に向かって押し流すことができる。もちろん、溝状流路２０内に堆積した泥等の高さをセンサで検知し、これと連動して導水槽１２の底部に設けたジェット水流噴射装置３０を自動的に動作させることもできる。
【００３４】
図６は本発明の雨水等の貯水施設の別の実施例で、その特徴は雨水等の流出口１３が１箇所であるのに対して、流入口１０が２箇所設けられている点に、その特徴がある。
このような場合、各流入口付近に形成されている導水槽１２、１２から流出口１３に直接溝状流路２０が連結されるように溝状流路２０を設けてもよいが、図６に示すように図６の右側の導水槽１２Ａから流出口１３に延びる溝状流路２０Ａに、導水槽１２Ｂから延びる溝状流路２０Ｂを直交させてもよい。このようにすると溝状流路２０を貯水槽３の側壁である内張層２に対して斜めに形成した場合に比較して、溝状流路２０の両側に設置する穴明き仕切板２１の布設が極めて容易になり、好ましい。
なぜならば、このように直交させると、特に別の支持体を必要とせず、貯水空間５を形成するために使用されている樹脂製骨格ブロック４をそのまま使って、この穴明き仕切板２１を支持しながら組み込むことができるからである。
因みに、図６においても貯水槽３の下部に形成した溝状流路２０Ａ、溝状流路２０Ｂの配置が判り易くなるように、樹脂製骨格ブロック４はすべて省略してある。
【００３５】
さらに図７は本発明の雨水等の貯水施設のさらに別の実施例を示している。
図７に示すものは、雨水等の流入口１０と流出口１３とが各々複数個同数、具体的には２個所ずつ設けられている点に特徴がある。
この実施例の雨水等の貯水施設においては、導水槽１２Ａ、１２Ｂと、これに対向する流出口１３Ａ、１３Ｂを直線的に、かつ貯水槽３の側壁、すなわち内張層２に略平行に溝状流路２０Ａ、２０Ｂをそれぞれ並行して設けている。
このようにすると、溝状流路２０内を流れる雨水等が流入口１３に向かって途中で滞留することなくスムースに流れる利点がある。加えて、貯水施設各溝状流路２０Ａ、２０Ｂの両側に立設する穴明き仕切板２１を、前述したように既に貯水空間５を形成するために用いられている樹脂製骨格ブロック４をそのまま用いて立設させることができるので、組立作業性を向上させる上から好ましい。もちろん、このようにしないで別の配置を採用しても穴明き仕切板の組立作業性が多少悪くなる以外は、なんら問題はない。
【００３６】
ここで図７においても貯水槽３の下部に形成した溝状流路２０Ａ、溝状流路２０Ｂの配置が判り易くなるように、樹脂製骨格ブロック４はすべて省略してある。
【００３７】
ところで、前記各実施例において、特に言及しなかったが、溝状流路２０の底面は導水槽１２側から流出口１３側に向かって水平もしくは緩やかに傾斜していて、雨水等が導水槽１２側から流出口１３側に、途中で淀むことなく流れるようになっていることは言うまでもない。
また、各実施例において、導水槽１２の下部にジェット水流噴射装置３０を設けているが、雨水等の貯水施設によっては流れ込む雨水等に、あまり多くの沈殿物が混入しない場合もある。このような場合には、溝状流路２０内にも沈殿物が溜まり難い。それ故、雨水等の貯水施設の建設コストを低減させる観点からジェット水流噴射装置３０を設置しない場合もある。
【００３８】
以上述べたように本発明によれば、雨水等の貯水施設の貯水槽の下部に、沈殿物がより堆積し難い雨水等の貯水施設を提供することができる。また本発明の雨水等の貯水施設の沈殿物除去方法によれば、より効果的に貯水槽内の沈殿物を外部に排出することができる。
【図面の簡単な説明】
【００３９】
【図１】本発明の雨水等の貯水施設の一実施例を示す一部切開正面図である。
【図２】図１に示す雨水等の貯水施設において、貯水空間を形成する樹脂製骨格ブロックの一例を示す斜視図である。
【図３】本発明の雨水等の貯水施設における導水槽の仕切壁と樹脂製骨格ブロックとの連結状態を示す拡大図である。
【図４】図１に示す本発明の雨水等の貯水施設の平面図である。
【図５】図１に示す本発明の雨水等の貯水施設の一部切開側面図である。
【図６】本発明の雨水等の貯水施設の別の実施例を示す平面図である。
【図７】本発明の雨水等の貯水施設のさらに別の実施例を示す平面図である。
【符号の説明】
【００４０】
１  地面
２  内張層
３  貯水槽
４  樹脂製骨格ブロック
４ａ  嵌合凹部
５  貯水空間
１０  流入口
１１  仕切壁
１１  嵌合突起ａ
１２  導水槽
１３  流出口
１４  泥溜槽
１５  調整槽
２０  溝状流路
２１  穴明き仕切板
３０  ジェット水流噴射装置
４１  嵌合突起
４２  嵌合穴
【図１】
2008008060.tif 000003
【図２】
2008008060.tif 000004
【図３】
2008008060.tif 000005
【図４】
2008008060.tif 000006
【図５】
2008008060.tif 000007
【図６】
2008008060.tif 000008
【図７】
2008008060.tif 000009